(57)【要約】  【課題】鍵配置の調整を高い精度で且つ容易に行なうことができる電子楽器用鍵盤装置を提供する。  【解決手段】鍵を上下方向に案内する鍵ガイド５０が、鍵フレーム２０に固定され鍵の中空部１４内に延びた支持体５１と、該支持体に支持され鍵の側壁内面に接触して鍵の上下動を案内する接触体５２とを備え、接触体５２は、支持体５１により該支持体の中心軸線回りに回転可能に支持されており、該接触体の周方向の輪郭線は、少なくとも鍵と接触する部分において前記中心軸線からの距離が滑らかに変化し、該接触体の位置を回転方向に変えることにより鍵の配置を調整し得るようになっており、支持体５１と接触体５２とは、支持体の軸線方向に嵌合されており、嵌合面の少なくとも一方にねじが施されている電子楽器用鍵盤装置。【選択図】図２
2010008736.tif 000002
【特許請求の範囲】
【請求項１】
鍵と、楽器本体に設置され該鍵を支持する鍵フレームと、鍵を上下方向に案内する鍵ガイドとを備え、
前記鍵は、鍵長手方向に延びる２つの側壁に挟まれた中空部を有し、上下方向に回動可能に前記鍵フレームに設置されており、
前記鍵ガイドは、前記鍵フレームに固定され前記鍵の中空部内に延びた支持体と、該支持体に支持され前記鍵の側壁内面に接触して鍵の上下動を案内する接触体とを備え、
前記接触体は、前記支持体により該支持体の中心軸線回りに回転可能に支持されており、該接触体の周方向の輪郭線は、少なくとも鍵と接触する部分において前記中心軸線からの距離が滑らかに変化し、該接触体の位置を回転方向に変えることにより鍵の配置を調整し得るようになっており、
前記支持体と接触体とは、前記支持体の軸線方向に嵌合されており、嵌合面の少なくとも一方にねじが施されていることを特徴とする電子楽器用鍵盤装置。
【請求項２】
鍵と、楽器本体に設置され該鍵を支持する鍵フレームと、鍵を上下方向に案内する鍵ガイドとを備え、
前記鍵は、鍵長手方向に延びる２つの側壁に挟まれた中空部を有し、上下方向に回動可能に前記鍵フレームに設置されており、
前記鍵ガイドは、前記鍵フレームに固定され前記鍵の中空部内に延びた支持体と、該支持体に支持され前記鍵の側壁内面に接触して鍵の上下動を案内する接触体とを備え、
前記接触体は、前記支持体により該支持体の中心軸線回りに回転可能に支持されており、該接触体の周方向の輪郭線は、少なくとも鍵と接触する部分において前記中心軸線からの距離が滑らかに変化し、該接触体の位置を回転方向に変えることにより鍵の配置を調整し得るようになっており、
該接触体には回転に伴って前記鍵の側壁内面との接触位置が変わり得る範囲にグリス溜まりとなる微小凹所が設けられていることを特徴とする電子楽器用鍵盤装置。
【請求項３】
鍵と、楽器本体に設置され該鍵を支持する鍵フレームと、鍵を上下方向に案内する鍵ガイドとを備え、
前記鍵は、鍵長手方向に延びる２つの側壁に挟まれた中空部を有し、上下方向に回動可能に前記鍵フレームに設置されており、
前記鍵ガイドは、前記鍵フレームに固定され前記鍵の中空部内に延びた支持体と、該支持体に支持され前記鍵の側壁内面に接触して鍵の上下動を案内する接触体とを備え、
前記接触体は、前記支持体により該支持体の中心軸線回りに回転可能に支持されており、該接触体の周方向の輪郭線は、少なくとも鍵と接触する部分において前記中心軸線からの距離が滑らかに変化し、該接触体の位置を回転方向に変えることにより鍵の配置を調整し得るようになっており、
前記鍵の側壁内面には、前記接触体との接触面となる範囲の少なくとも一部にグリス溜まりとなる微小凹所が設けられていることを特徴とする電子楽器用鍵盤装置。
【請求項４】
鍵と、楽器本体に設置され該鍵を支持する鍵フレームと、鍵を上下方向に案内する鍵ガイドとを備え、
前記鍵は、鍵長手方向に延びる２つの側壁に挟まれた中空部を有し、上下方向に回動可能に前記鍵フレームに設置されており、
前記鍵ガイドは、前記鍵フレームに固定され前記鍵の中空部内に延びた支持体と、該支持体に支持され前記鍵の側壁内面に接触して鍵の上下動を案内する接触体とを備え、
前記接触体は、前記支持体により該支持体の中心軸線回りに回転可能に支持されており、該接触体の周方向の輪郭線は、少なくとも鍵と接触する部分において前記中心軸線からの距離が滑らかに変化し、該接触体の位置を回転方向に変えることにより鍵の配置を調整し得るようになっており、前記接触体の上端縁及び下端縁の少なくとも一方は、前記中空部内への挿入時に鍵の側壁縁部に接触する位置で面取りされ挿入を導くガイド面とされていることを特徴とする電子楽器用鍵盤装置。
【請求項５】
鍵と、楽器本体に設置され該鍵を支持する鍵フレームと、鍵を上下方向に案内する鍵ガイドとを備え、
前記鍵は、鍵長手方向に延びる２つの側壁に挟まれた中空部を有し、上下方向に回動可能に前記鍵フレームに設置されており、
前記鍵ガイドは、前記鍵フレームに固定され前記鍵の中空部内に延びた支持体と、該支持体に支持され前記鍵の側壁内面に接触して鍵の上下動を案内する接触体とを備え、
前記接触体は、前記支持体により該支持体の中心軸線回りに回転可能に支持されており、該接触体の周方向の輪郭線は、少なくとも鍵と接触する部分において前記中心軸線からの距離が滑らかに変化し、該接触体の位置を回転方向に変えることにより鍵の配置を調整し得るようになっており、
前記鍵の側壁は、前記中空部内への前記接触体の挿入時に前記接触体に接触して挿入を導くように接触体の挿入箇所近傍の下端縁が面取りされガイド面とされていることを特徴とする電子楽器用鍵盤装置。
【請求項６】
鍵と、楽器本体に設置され該鍵を支持する鍵フレームと、鍵を上下方向に案内する鍵ガイドとを備え、
前記鍵は、鍵長手方向に延びる２つの側壁に挟まれた中空部を有し、上下方向に回動可能に前記鍵フレームに設置されており、
前記鍵ガイドは、前記鍵フレームに固定され前記鍵の中空部内に延びた支持体と、該支持体に支持され前記鍵の側壁内面に接触して鍵の上下動を案内する接触体とを備え、
前記接触体は、円錐台状に形成され、軸線が前記支持体の支軸に対して傾斜した偏心状態で、該支軸に回転可能に支持されており、位置を回転方向に変えることにより鍵の傾きを調整し得るようになっていることを特徴とする電子楽器用鍵盤装置。
【請求項７】
鍵と、楽器本体に設置され該鍵を支持する鍵フレームと、鍵を上下方向に案内する鍵ガイドとを備え、
前記鍵は、鍵長手方向に延びる２つの側壁に挟まれた中空部を有し、上下方向に回動可能に前記鍵フレームに設置されており、
前記鍵ガイドは、前記鍵フレームに固定され前記鍵の中空部内に延びた支持体と、該支持体に支持され前記鍵の側壁内面に接触して鍵の上下動を案内する接触体とを備え、
前記接触体は、円筒状に形成され、軸線が前記支持体の支軸に対して傾斜した偏心状態で、該支軸に回転可能に支持されており、位置を回転方向に変えることにより鍵の傾きを調整し得るようになっていることを特徴とする電子楽器用鍵盤装置。
【発明の詳細な説明】
【技術分野】
【０００１】
本発明は、電子楽器のための鍵盤装置に関する。
【背景技術】
【０００２】
電子楽器用鍵盤装置においては、通常、鍵が、上壁と前壁と側壁とで囲まれた中空部を有し、後部を回動支点により支持され、前寄り部分を鍵ガイドによりガイドされて、上下方向に回動するようになっている。鍵ガイドは、鍵フレームから鍵の中空部内に延び、鍵の側壁内面に接触するように配置され、鍵が左右方向に振れるのを防止して上下動をガイドする。
【０００３】
鍵は樹脂成形されることが多く、成形時の製造誤差によって同じ鍵でも形状が微妙に異なる場合がある。特に、鍵盤楽器の白鍵１０Wは、図１に示すように、黒鍵１０Ｂとの位置関係によって平面形状が異なっている。すなわち、図１の下部に示した音名で示すと、D，G，Aの鍵は左右ほぼ対称形状、E，Bの鍵は左側に黒鍵配置用の凹部が形成される左右非対称形状、C，Fの鍵は右側に黒鍵配置用の凹部が形成される左右非対称形状となっている。これらの鍵を樹脂で射出成形すると、成形品は冷却固化する間に、各部分での収縮率の差から歪が生じる。その結果、白鍵１０Ｗを音名順に並べると、鍵の配置が不揃いになってしまう。すなわち、鍵の配列間隔が不均一になったり、鍵上面が傾いて水平に揃わなかったりする。従来の鍵ガイドは、鍵フレームに固定されているので、このような不均一な配列間隔の調整をすることができなかった。
【０００４】
これに対処すべく種々の手段が提案されている。特許文献１に記載の鍵ガイドは、各鍵に対応して鍵フレーム（鍵盤シャーシ）の前端からの突出片を上方へ折り曲げて差し込み部を形成し、これにガイド材を差し込んで鍵ガイドを構成するものであり、黒鍵には１つの鍵ガイド、白鍵には２つの鍵ガイドを設ける。白鍵の傾きの矯正は、２つの差し込み部を変形させて傾斜を変えることにより行なわれる。
【０００５】
特許文献２の鍵ガイドは、鍵の後端部に上下方向に延びる溝を形成し、鍵フレーム（鍵盤シャーシ）に該溝に遊嵌するガイドピンを鍵の後方から前方に向けて挿入し、ガイドピンの向きを変えることにより、鍵の左右への傾きを調整するものである。
【０００６】
特許文献３に記載の鍵ガイドは、鍵フレームから起立するガイド片に、該ガイド片の受け入れ穴を有したキャップを被せ、このキャップで鍵の側壁内面をガイドするようにしたものであり、受け入れ穴を偏心させたキャップを用意して鍵の歪みに適合したキャップを選択したり、或いは、受け入れ穴を大きくし係合する突起と溝を変えたりすることにより、鍵の左右方向の位置を調整可能にしたものである。
【特許文献１】特開平８−１７９７５８号公報
【特許文献２】実公平７−４３７５７号公報
【特許文献３】特許第３７０２８７４号公報
【発明の開示】
【発明が解決しようとする課題】
【０００７】
しかしながら、特許文献１の鍵ガイドは、板金の突出片を上方へ曲げて形成された差し込み部を塑性変形させて傾きの調整を行なうものであり、塑性変形は差し込み部の根元で行なう一方、鍵をガイドするのは差し込み部に差し込まれるガイド材の上端であるので、変形箇所とガイド箇所が離れており、正確な調整を行ない難い。特許文献２の鍵ガイドも、向きが相違するものの、ガイドピンの根元での変形でピン先端のガイド位置を変えるものなので、変形箇所とガイド箇所が離れており、正確な調整を行ない難い。特許文献３の鍵ガイドは、キャップの交換や係合する突起と溝の変更で位置調整を行なうので、段階的な調整しかできず、高い調整精度が得られなかった。
【０００８】
本発明は、このような問題を解決し、鍵配置の調整を高い精度で且つ容易に行なうことができる電子楽器用鍵盤装置を提供することを目的とする。
【課題を解決するための手段】
【０００９】
本発明は、前記目的を達成するため、以下の電子楽器用鍵盤装置を提供するものである。すなわち、本発明に係る電子楽器用鍵盤装置は、鍵と、楽器本体に設置され該鍵を支持する鍵フレームと、鍵を上下方向に案内する鍵ガイドとを備え、前記鍵は、鍵長手方向に延びる２つの側壁に挟まれた中空部を有し、上下方向に回動可能に前記鍵フレームに設置されており、前記鍵ガイドは、前記鍵フレームに固定され前記鍵の中空部内に延びた支持体と、該支持体に支持され前記鍵の側壁内面に接触して鍵の上下動を案内する接触体とを備えた構成を有し、さらに以下の（１）から（７）の構成を個々にまたは２以上組み合わせて備えるものである。
【００１０】
（１）前記接触体は、前記支持体により該支持体の中心軸線回りに回転可能に支持されており、該接触体の周方向の輪郭線は、少なくとも鍵と接触する部分において前記中心軸線からの距離が滑らかに変化し、該接触体の位置を回転方向に変えることにより鍵の配置を調整し得るようになっており、前記支持体と接触体とは、前記支持体の軸線方向に嵌合されており、嵌合面の少なくとも一方にねじが施されている。
【００１１】
（２）前記接触体は、前記支持体により該支持体の中心軸線回りに回転可能に支持されており、該接触体の周方向の輪郭線は、少なくとも鍵と接触する部分において前記中心軸線からの距離が滑らかに変化し、該接触体の位置を回転方向に変えることにより鍵の配置を調整し得るようになっており、該接触体には回転に伴って前記鍵の側壁内面との接触位置が変わり得る範囲にグリス溜まりとなる微小凹所が設けられている。
【００１２】
（３）前記接触体は、前記支持体により該支持体の中心軸線回りに回転可能に支持されており、該接触体の周方向の輪郭線は、少なくとも鍵と接触する部分において前記中心軸線からの距離が滑らかに変化し、該接触体の位置を回転方向に変えることにより鍵の配置を調整し得るようになっており、前記鍵の側壁内面には、前記接触体との接触面となる範囲の少なくとも一部にグリス溜まりとなる微小凹所が設けられている。
【００１３】
（４）前記接触体は、前記支持体により該支持体の中心軸線回りに回転可能に支持されており、該接触体の周方向の輪郭線は、少なくとも鍵と接触する部分において前記中心軸線からの距離が滑らかに変化し、該接触体の位置を回転方向に変えることにより鍵の配置を調整し得るようになっており、前記接触体の上端縁及び下端縁の少なくとも一方は、前記中空部内への挿入時に鍵の側壁縁部に接触する位置で面取りされ挿入を導くガイド面とされている。
【００１４】
（５）前記接触体は、前記支持体により該支持体の中心軸線回りに回転可能に支持されており、該接触体の周方向の輪郭線は、少なくとも鍵と接触する部分において前記中心軸線からの距離が滑らかに変化し、該接触体の位置を回転方向に変えることにより鍵の配置を調整し得るようになっており、前記鍵の側壁は、前記中空部内への前記接触体の挿入時に前記接触体に接触して挿入を導くように接触体の挿入箇所近傍の下端縁が面取りされガイド面とされている。
【００１５】
（６）前記接触体は、円錐台状に形成され、軸線が前記支持体の支軸に対して傾斜した偏心状態で、該支軸に回転可能に支持されており、位置を回転方向に変えることにより鍵の傾きを調整し得るようになっている。
【００１６】
（７）前記接触体は、円筒状に形成され、軸線が前記支持体の支軸に対して傾斜した偏心状態で、該支軸に回転可能に支持されており、位置を回転方向に変えることにより鍵の傾きを調整し得るようになっている。
【００１７】
本明細書及び特許請求の範囲においては、電子楽器及びその鍵盤装置における演奏者に近い方を前方、遠い方を後方と称することとする。
【発明の効果】
【００１８】
本発明に係る電子楽器用鍵盤装置は、鍵を上下方向に案内する鍵ガイドが、鍵フレームに固定され鍵の中空部内に延びた支持体と、該支持体に支持され鍵の側壁内面に接触して鍵の上下動を案内する接触体とを備え、該接触体は、前記支持体により該支持体の中心軸線回りに回転可能に支持されており、該接触体の周方向の輪郭線は、少なくとも鍵と接触する部分において前記中心軸線からの距離が滑らかに変化しており、該接触体の位置を回転方向に変えることにより鍵の配置を調整し得るようになっている。この調整は、鍵への接触箇所そのものの位置を変更して行なわれるので、調整を容易に且つ正確に行なうことができる。また、接触体の回転によって調整を行なうことができるので、回転位置をきめ細かく変えることができ、高い精度の調整が可能である。
【００１９】
この効果に加えて、上記（１）から（７）の構成を備えた電子楽器用鍵盤装置はさらに以下の効果を奏する。
【００２０】
上記（１）の電子楽器用鍵盤装置においては、前記支持体と接触体とは、前記支持体の軸線方向に嵌合されており、嵌合面の少なくとも一方にねじが施されているので、嵌合面のねじによって接触体の回転が可能とされ且つ嵌合状態が強固に保持される。ねじが嵌合面の一方にのみ施されている場合でも、嵌合時には、他方の嵌合面にねじ状の変形を伴うので、強固な保持が可能である。また、ねじが嵌合面の両方に施されていれば、両者の螺合により嵌合となり、強固な保持が可能である。離鍵時には、鍵との接触部分において、接触体を支持体から離脱させる方向に力が作用し、押鍵時の押鍵方向によっても接触体に離脱方向の力が作用することがあるが、上記の強固な保持により、接触体の離脱が防止される。
【００２１】
上記（２）の電子楽器用鍵盤装置において、前記接触体には、回転に伴って前記鍵の側壁内面との接触位置が変わり得る範囲にグリス溜まりとなる微小凹所が設けられているので、該微小凹所にグリスを充填することにより、長期間に亘って接触体と鍵との接触箇所の円滑な滑りが得られる。これにより、良好なタッチ感が保たれ、雑音の発生が防止される。
【００２２】
上記（３）の電子楽器用鍵盤装置において、前記鍵の側壁内面には、前記接触体との接触面となる範囲の少なくとも一部にグリス溜まりとなる微小凹所が設けられているので、該微小凹所にグリスを充填することにより、長期間に亘って接触体と鍵との接触箇所の円滑な滑りが得られる。これにより、前述と同様に、良好なタッチ感が保たれ、雑音の発生が防止される。
【００２３】
上記（４）の電子楽器用鍵盤装置において、前記接触体の上端縁及び下端縁の少なくとも一方は、前記中空部内への挿入時に鍵の側壁縁部に接触して挿入を導くように面取りされガイド面とされている。したがって、鍵を鍵フレーム上に組み付ける際に、接触体のガイド面により接触体に対する適正な位置への誘導が可能であり、作業が迅速且つ円滑に行なわれる。特に、電子楽器においては鍵の数が多いので、鍵毎の作業性の向上は組立て作業全体の迅速化に有効である。
【００２４】
上記（５）の電子楽器用鍵盤装置において、前記鍵の側壁は、前記中空部内への前記接触体の挿入時に前記接触体に接触して挿入を導くように接触体の挿入箇所近傍の下端縁が面取りされガイド面とされている。したがって、鍵を鍵フレーム上に組み付ける際に、鍵のガイド面により接触体に対する適正な位置への誘導が可能であり、作業が迅速且つ円滑に行なわれる。この場合も、鍵毎の作業性が向上し、組立て作業全体の迅速化に有効である。
【００２５】
上記（６）の電子楽器用鍵盤装置において、前記接触体は、円錐台状に形成され、軸線が前記支持体の支軸に対して傾斜した偏心状態で、該支軸に回転可能に支持されており、位置を回転方向に変えることにより鍵の傾きを調整し得るようになっている。このように、円錐台状の接触体を支持体の支軸に対して傾斜した偏心状態で回転可能に支持するという簡単な構造で、鍵の配置、特に傾きの調整を行なうことができる。
【００２６】
上記（７）の電子楽器用鍵盤装置において、前記接触体は、円筒状に形成され、軸線が前記支持体の支軸に対して傾斜した偏心状態で、該支軸に回転可能に支持されており、位置を回転方向に変えることにより鍵の傾きを調整し得るようになっている。このように、円錐台状の接触体を支持体の支軸に対して傾斜した偏心状態で回転可能に支持するという簡単な構造で、鍵の配置、特に傾きの調整を行なうことができる。
【発明を実施するための最良の形態】
【００２７】
以下、本発明の実施形態について添付図面を参照しつつ説明する。図面中の同一又は同種の部分については、同じ番号を付して説明を省略することがある。
【００２８】
図２は、本発明の一実施形態に係る電子楽器用鍵盤装置の一部を示す縦断側面図であり、図３はその平面図、図４は図３のIV−IV線に沿う断面図である。これらの図は、鍵ガイドの構造を説明するための要部を抽出して示している。なお、図３では、図４に表された２つの白鍵及び１つの黒鍵のみを示している。
【００２９】
この実施形態に係る鍵盤装置は、鍵１０と、楽器本体に設置され鍵１０を支持する鍵フレーム２０と、鍵の後端部を回動可能に支持する回動支点３０と、鍵を上下方向に案内する鍵ガイド５０とを備えている。鍵には、白鍵１０Ｗと黒鍵１０Ｂとがあるが、いずれも上壁１１と前壁１２と側壁１３とで囲まれた中空部１４を有している。
【００３０】
鍵１０にはさらに、やや後方寄りに下方へ延びる突起１７が設けられ、鍵フレーム２０にはその下方にスイッチ２３が取り付けられている。また、鍵１０には、側壁１３の前寄り部分から下方へ延びるフック部１８が設けられており、鍵フレーム２０には該フック部を通す開口部が形成されている。鍵フレーム２０には、フック部先端の爪部１８０が当接する箇所に緩衝部材２１、鍵が下降時に当接する箇所に緩衝部材２２が取り付けられている。この実施形態では、鍵の後部寄りの位置に鍵ガイド５０が設けられている。
【００３１】
図５及び図６は、鍵ガイドの詳細を示しており、図５は鍵及び鍵ガイドの拡大断面図、図６(a) は支持体及び接触体を分解して示す正面図、図６(b) はその平面図である。以下では、白鍵１０Ｗの鍵ガイドについて説明し、黒鍵１０Ｂの鍵ガイドについては、白鍵のものと同様の構造であるので共通の事項については説明を省略する。
【００３２】
鍵ガイド部５０は、鍵フレーム２０に固定され鍵の中空部内に延びた棒状の支持体５１と、該支持体に支持された接触体５２とを備えている。支持体５１を鍵フレーム２０に固定するには、ねじ止め、接着、溶接等の適宜の手段を用いることができ、或いは、板金、樹脂等により鍵フレームと支持体とを一体のものとして製造することもできる。
【００３３】
支持体５１の上端部の円柱状部分は、接触体５２を嵌合するための支軸５１１となっており、該支軸に雄ねじ５１１０が施されている。接触体５２は、上端が閉じられた円筒状の装着部５２１と、該装着部の上端に固着された作動部５２２とを備えている。装着部５２１の内径は、支軸５１１のねじ山の径より僅かに小さくされている。したがって、装着部５２１に対して、支軸５１１を強く押し込むか、ねじ山に沿って回転させながら挿入すると、装着部５２１の内壁５２１ｗはねじ状に変形し、挿入後は支軸５１１上に強固に保持され、且つ回転可能な状態となる。作動部５２２は、水平に配置された円板体で形成され、その中心軸線５２２ｘは装着部５２１における中空部５２１ｖの中心軸線（これは支軸５１１の中心軸線５１１ｘと同じである）と平行であるが、距離ｓ（図６）だけ偏心した位置にある。したがって、作動部５２２の周方向の輪郭線は、中心軸線５１１ｘからの距離が滑らかに変化している。作動部５２２の周円部は、縁部が断面弧状となる丸みを持たせた形状とされている。
【００３４】
作動部５２２の外径は、鍵側壁内面に近接してガイド機能を奏するように、鍵１０の側壁内面の離反距離より僅かに小さくなるように決められる。したがって、鍵１０を鍵フレーム２０及び鍵ガイド部５０に装着した状態では、作動部５２２により鍵の幅方向位置が決まり、接触体５２を支持体５１に対して回動すると、偏心位置にある作動部５２２の移動に伴って、鍵１０は幅方向位置を変えることになる。
【００３５】
鍵ガイド５０によれば、次のようにして鍵の配列間隔を調整することができる。図５は白鍵間の間隔が小さすぎる場合の調整後の状態を示しており、図５(a) では接触体５２の回動により偏心した先端部５２２ｓが左方へ移動され、これにより側壁１３は左方へ移動している。図５(b) では接触体５２の回動により偏心した先端部５２２ｓが右方へ移動され、これにより側壁１３は右方へ移動している。その結果、隣り合う白鍵間の間隙が拡大されて適正な配列間隔となっている。尤も、鍵の配置状態によっては、配列間隔調整のために、隣り合う一方の鍵の接触体のみを移動すればよい場合や、隣り合う複数の鍵の接触体を同じ方向に移動する場合もあり得る。
【００３６】
鍵ガイド５０は、押鍵により鍵１０の上壁１１に接触しないように高さが決められる。鍵１０の上壁１１には、接触体５２の位置に開口部１６が形成されている。これにより、鍵を４鍵フレームに装着したまま、作動部５２２天面の溝５２３（図６(b)）にネジ回し等の工具を到達させ接触体５２を回動して鍵の位置調整を行なうことができる。
【００３７】
この例では、接触体５２の嵌合面に雄ねじを設けたが、これに代えて支持体５１の嵌合面に雌ねじを設けることもでき、また、接触体５２及び支持体５１の双方にねじを設けて相互に螺合するようにすることもできる。
【００３８】
黒鍵１０Ｂにも同様に鍵ガイド５０’が設けられている。これらの鍵ガイドは、黒鍵１０Ｂの側壁内面間の距離に応じて接触体の長さが決められている以外は、白鍵１０Ｗのための鍵ガイド５０と同じ構造であり、同様に機能する。
【００３９】
図７は、接触体の他の例を示しており、図７(a) は正面図、図７(b)は平面図である。この接触体５２ａは、図２〜図４に示した接触体５２と基本的な構造は共通しており、さらに、作動部５２２ａの周面にグリス溜まりとなる微小凹所５２４が設けられている。微小凹所５２４の大きさは、グリスが漏出しない範囲でできるだけ多量に収容できるように決めるのが望ましい。この例では、円柱状の作動部５２２ａの側面上部から上面端部に掛けて微小凹所５２４が形成されている。その大きさは、例えば、幅（接触体周方向の寸法）０．０５〜２ｍｍ、高さ（接触体軸方向の寸法）０．０５〜２０ｍｍ、奥行き（接触体半径方向の寸法）０．０５〜２ｍｍとすることができる。この実施形態では、幅０．５ｍｍ、高さ１．０ｍｍ、奥行き０．３ｍｍとなっている。
【００４０】
微小凹所５２４は、回転に伴って鍵の側壁内面との接触位置が変わり得る範囲に設ければよく、この例では作動部５２２ａが支軸５１１に対して偏心した配置に基づいて鍵の位置調整を行なうことができる範囲として、作動部５２２が支軸５１１から突出する側を含むように約３００度の範囲に亘って設けられている。尤も、微小凹所５２４を設ける幅は必要に応じて決めることができ、作動部５２２の周面全体に微小凹所５２４を設けてもよく、使用時にグリスの充填箇所を選択してもよい。位置調節後の接触体の位置を保持するには、支持体の貫通孔との緊い嵌合のほか、左記の例のように接触体及び支持体の嵌合面の少なくとも一方にねじを施したり、接触体の側壁にねじ付きの貫通孔を設け、これに止めねじを螺合してその先端を支持体に当接させるなど、種々の保持手段を用いることができる。
【００４１】
この例によれば、微小凹所５２４の鍵側壁内面との接触し得る位置にグリスを充填しておくことにより、接触体の位置が回転方向に変わっても接触体と鍵との接触箇所の円滑な滑りが得られる。これにより、良好なタッチ感が保たれ、雑音の発生が防止される。グリスは、微小凹所５２４に溜められるので、円滑な滑りが長期間にわたって保たれる。微小凹所５２４の形状及び寸法は、潤滑の必要度やグリスの特性等に応じて、適宜決めることができる。
【００４２】
図８は、本発明の他の実施形態に係る電子楽器用鍵盤装置を示しており、図８(a) は鍵盤装置の縦断側面図、図８(b) 及び(c) は微小凹所の例を示している。この電子楽器用鍵盤装置においては、鍵の側壁内面の一部に、グリス溜まりとなる微小凹所１４１が設けられている。この微小凹所１４１も潤滑の必要度やグリスの特性等に応じて、適宜決めることができ、図８の(b) では散点状の微小凹所１４１ａ、(c) では平行線状の微小凹所１４１ｂとして形成されている。散点状の微小凹所１４１ａの幅、高さ、奥行き、並びに平行線状の微小凹所１４１ｂの幅及び奥行きは、図７の微小凹所５２４と同様にすることができる。微小凹所１４１は、少なくとも前記接触体との接触面となる範囲に設ければよい。
【００４３】
この例においても、微小凹所１４１にグリスを充填することにより、長期間に亘って接触体と鍵との接触箇所の円滑な滑りが得られ、これにより、良好なタッチ感が保たれ、雑音の発生が防止される。
【００４４】
図９は、接触体の他の例を示しており、図９(a) は正面図、図９(b)は平面図である。この接触体５２ｂは、図２〜図４に示した接触体５２と基本的な構造は共通しており、さらに、円柱状の作動部５２２ｂは、上端縁及び下端縁が面取りされ上ガイド面５２５及び下ガイド面５２６とされている。これらのガイド面は、４５度の傾斜角で形成されているが、以下に述べる効果が得られるように適宜の角度に形成することができ、断面が弧状となるように形成してもよい。上ガイド面５２５は、鍵フレームに装着された接触体５２ｂに鍵を上方から被せるようにして組み付ける際に、鍵を誘導する。また、上ガイド面５２５及び下ガイド面５２６の双方を設けることにより、鍵の組み付けまたは取り外し等の移動の際に、鍵が傾いても移動を妨げるのを防止することができる。すなわち、接触体は、鍵の側壁内面間の寸法より僅かに小さくされているので、鍵が傾斜すると接触体５２ｂが強い接触圧で側壁に接しやすいが、これらのガイド面があれば、その高い接触圧の発生が緩和され、移動が妨げられない。これらにより、作業が迅速且つ円滑に行なわれる。特に、電子楽器においては鍵の数が多いので、鍵毎の作業性の向上は組立て作業全体の迅速化に有効である。
【００４５】
図１０は、本発明の他の実施形態に係る電子楽器用鍵盤装置の縦断側面図であり、図１１は図１０XI−XI線に沿う断面を示している。この電子楽器用鍵盤装置においては、鍵の側壁１４は、接触体５２の挿入箇所近傍の下端縁が面取りされガイド面１４３とされている。これにより、鍵フレームに装着された接触体５２に鍵を上方から被せるようにして組み付ける際に、接触体にガイド面１４３が接して鍵を誘導する。その結果、組み付け作業が迅速且つ円滑に行なわれ、この場合も、鍵毎の作業性が向上し、組立て作業全体の迅速化に有効である。
【００４６】
図１２及び図１３は、本発明のさらに他の実施形態に係る電子楽器用鍵盤装置の一部を示しており、図１２は縦断側面図、図１３は平面図である。図１５は、接触体及び支持体を拡大して示す正面図である。この電子楽器用鍵盤装置においては、鍵の前方寄りに鍵ガイド４０が設けられている。この鍵ガイド４０は、鍵フレーム２０に固定され鍵の中空部内に延びた棒状の支持体４１と、該支持体に支持された接触体４２とを備えている。接触体４２は、円柱の両端部を半球面とした形状を有している。支持体４１には左右方向（鍵の幅方向）に延びる貫通孔が形成され、接触体４２がその貫通孔に挿入されている。接触体４２の長さは、鍵側壁内面に近接してガイド機能を奏するように、白鍵１０Ｗの側壁内面の離反距離より僅かに小さくなるように決められる。支持体４１の貫通孔と接触体４２とは緊く嵌合しており、支持体４１の貫通孔に対して接触体４２は移動可能であるが、移動後の通常の楽器の使用時には位置が保持される。
【００４７】
後方寄りに設けられた鍵ガイド部５０は、鍵フレーム２０に固定され鍵の中空部内に延びた棒状の支持体５１と、該支持体に支持された接触体５２ｃとを備えている。接触体５２ｃは、上端が閉じられた円筒状の装着部５２１ｃと、該装着部の上端に固着され該装着部と同心状に位置する作動部５２２ｃとを備えている。作動部５２２ｃは、装着部５２１ｃから径方向に張出し下方に先細となる円錐台状に形成されている。装着部５２１ｃは、軸線が支持体の支軸５１１に対して傾斜した偏心状態で、該支軸に回転可能に支持されている。したがって、接触体５２ｃを支軸５１１の回りに回転させて位置を変えれば、一定方向から見た接触体５２ｃの支軸５１１に対する角度が変化する。例えば、図１５(a) の状態から、図における右側部分が手前に来るように接触体５２ｃを９０度回転すると、図１５(b) の状態となる。これにより、図における作動部５２２ｃの両側の傾斜は、左右均等の状態から右側の傾斜が強い状態へと変化している。 
【００４８】
鍵は、樹脂成形時の歪み等に起因して、鍵上面が水平方向に揃わないことがあり、例えば図１４に示すように、隣り合う白鍵１０Ｗの上面が傾いた状態となる。これに対し、接触体５２ｃは、鍵の傾きを調整することができる。図１６は、鍵の上壁１１の左側が下がった傾斜状態(a) から、鍵上壁１１が水平な状態(b) へと傾きが調整された例を示している。図１６(a) では、鍵が傾いて左側の側壁１３が作動部５２２ｃの傾斜に沿っている。この状態から図１５について説明した方向に接触体５２ｃを回転すると、作動部５２２ｃの左側の角度はほぼ鉛直方向となり、鍵の左側の側壁１３はこれに追随して傾きを変える。このように、接触体５２ｃを支持体５１の回りに回転することにより、鍵の傾きを調整することができる。その調整は接触体の回転により、きめ細かく高精度で行なうことができる。なお、この例及び次の例では、理解を容易にするために、鍵の傾斜、変形及び歪みを通常より拡大して示している。
【００４９】
図１７は、接触体の他の例を示している。この接触体５２ｄは、図１５に示した接触体５２ｃと基本的な構造は共通しており、作動部５２２ｄが円筒状に形成されている点で異なっている。この例においても、前の例と同様にして鍵の傾きを調整することができる。図１７は、鍵の上壁１１の左側が下がった傾斜状態(a) から、鍵上壁１１が水平な状態(b) へと傾きが調整された例を示している。図１７(a) では、鍵の側壁１３は鉛直方向に延びているが、鍵の歪みにより、上壁１１は左側が下がるように傾斜している。この状態から図１５について説明した方向に接触体５２ｄを回転すると、図１７(b) における作動部５２２ｄの左右両側が傾斜し、鍵の両側壁１３はこれに追随して傾きを変える。これに伴って上壁１１は水平となっている。このように、接触体５２ｄを支持体５１の回りに回転することにより、鍵の傾きを調整することができ、この場合も、調整は接触体の回転によりきめ細かく高精度で行なうことができる。
【００５０】
上に述べた鍵ガイドを構成する支持体は金属、プラスチック等の材料、接触体は樹脂、エラストマー、ゴム等の材料というように、種々の材料で製作することができる。
【００５１】
以上における一つの実施形態の特徴部分及び説明は、機能を損ねない限り他の実施形態に適用することも可能である。また、本発明は、上記実施形態に限定されるものではなく、種々の変形が可能である。例えば、図２〜図１１の実施形態において説明したねじ嵌合、グリス溜まり、ガイド面の特徴的な構成は、鍵の左右方向の位置調節のための構造を例にとって説明したが、これらの構成は、図１２〜図１７に示した鍵の傾きの調整のための構造にも適用することができる。
【図面の簡単な説明】
【００５２】
【図１】配列された鍵盤の一部を示す平面図である。
【図２】本発明の一実施形態に係る電子楽器用鍵盤装置の要部を示す縦断側面図である。
【図３】図２に示した部分の平面図である。
【図４】図３のIV−IV線に沿う断面図である。
【図５】鍵配列間隔の調整を説明するための鍵ガイドの縦断正面図である。
【図６】図２の鍵ガイドを示し、(a) は支持体及び接触体を分解して示す正面図、(b) はその平面図である。
【図７】接触体の他の例を示しており、(a) は正面図、(b)は平面図である。
【図８】本発明の他の実施形態に係る電子楽器用鍵盤装置の要部を示す縦断側面図である。
【図９】接触体のさらに他の例を示しており、(a) は正面図、(b)は平面図である。
【図１０】本発明のさらに他の実施形態に係る電子楽器用鍵盤装置の要部を示す縦断側面図である。
【図１１】図１０に示した電子楽器用鍵盤装置における鍵ガイドの縦断正面図である。
【図１２】本発明のさらに他の実施形態に係る電子楽器用鍵盤装置の要部を示す縦断側面図である。
【図１３】図１２に示した部分の平面図である。
【図１４】配列された鍵盤の一部を示す正面図である。
【図１５】図１２に示した鍵盤装置における接触体及び支持体を拡大して示す正面図であり、(a), (b) は接触体が異なる回転位置にある状態を示す。
【図１６】図１４に示した鍵ガイドの使用状態の説明図である。
【図１７】鍵ガイドさらに他の例の使用状態の説明図である。
【符号の説明】
【００５３】
１０：鍵、    １１：上壁、    １２：前壁、    １３：側壁、    １４：中空部、    ２０：鍵フレーム、    ３０：回動支点、    ５０：鍵ガイド、    ５１：支持体、    ５２，５２ａ，５２ｂ，５２ｃ，５２ｄ：接触体、    １４１：微小凹所（グリス溜まり）、    １４３：ガイド面、    ５２４：微小凹所（グリス溜まり）、    ５２５：上ガイド面、    ５１１０：雄ねじ
【図１】
2010008736.tif 000003
【図２】
2010008736.tif 000004
【図３】
2010008736.tif 000005
【図４】
2010008736.tif 000006
【図５】
2010008736.tif 000007
【図６】
2010008736.tif 000008
【図７】
2010008736.tif 000009
【図８】
2010008736.tif 000010
【図９】
2010008736.tif 000011
【図１０】
2010008736.tif 000012
【図１１】
2010008736.tif 000013
【図１２】
2010008736.tif 000014
【図１３】
2010008736.tif 000015
【図１４】
2010008736.tif 000016
【図１５】
2010008736.tif 000017
【図１６】
2010008736.tif 000018
【図１７】
2010008736.tif 000019